(57)【要約】【課題】長期使用でも摩擦部が磨耗することを回避でき、長期にわたり摩擦部の適正形状を維持でき、また、熱変色しようとする筆跡の面積に応じた摩擦部と紙面との適正な接触面積を容易に得ることができる多芯筆記具を提供する。【解決手段】軸筒２内に複数の筆記体が収容される。筆記体は内部に熱変色性インキが充填される。摩擦体４が軸筒２の後端部に着脱自在に設けられる。摩擦体４が、軸筒２の後端より外部に露出する頭冠部５と、該頭冠部５より前方に一体に連設され、軸筒２との間で被挟持物を挟持するクリップ部６と、を備える。頭冠部５の後端部に第１の摩擦部５１が設けられる。クリップ部６の前端部に第２の摩擦部６１が設けられる。【選択図】  図１
2020097209.tif 000002
【特許請求の範囲】
【請求項１】
軸筒と、前記軸筒内に前後方向に移動可能に収容され、内部に熱変色性インキが充填された複数の筆記体と、前記各々の筆記体の後端に接続され且つ軸筒に側壁より径方向外方に突出され、前方にスライド操作することにより各々の筆記体のペン先を択一的に軸筒の前端孔より突出させる操作部と、前記軸筒の後端部に着脱自在に設けられ、前記筆記体の筆跡を摩擦しその際に生じる摩擦熱により該筆跡を熱変色させる摩擦体と、を備えた多芯筆記具であって、
前記摩擦体が、前記軸筒の後端より外部に露出する頭冠部と、該頭冠部より前方に一体に連設され、前記軸筒との間で被挟持物を挟持するクリップ部と、を備え、前記頭冠部の後端部に第１の摩擦部が設けられ、前記クリップ部の前端部に第２の摩擦部が設けられることを特徴とする多芯筆記具。
【請求項２】
前記第１の摩擦部の形状と前記第２の摩擦部の形状が互いに異なる請求項１に記載の多芯筆記具。
【請求項３】
前記頭冠部の外面に前記第１の摩擦部を用いて摩擦操作する際に把持可能な第１の把持部が形成され、前記クリップ部の外面に前記第２の摩擦部を用いて摩擦操作する際に把持可能な第２の把持部が形成される請求項１または２に記載の多芯筆記具。
【請求項４】
前記摩擦体を前記軸筒に取り付ける際に前記軸筒と前記摩擦体との間に周方向の位置合わせを行うガイド部が設けられる請求項１乃至３の何れかに記載の多芯筆記具。
【請求項５】
前記ガイド部が複数箇所に設けられ、前記クリップ部が複数の前記スライド孔の相互間の軸筒側壁外面のうち任意の前記スライド孔の相互間の軸筒側壁外面に配置可能である請求項４記載の多芯筆記具。
【請求項６】
前記軸筒後端部の外面に、小径部と、該小径部の前方に連設され且つ該小径部より大きい外径を有する大径部とが形成され、前記小径部の外面に嵌合部が形成され、前記大径部の外面にガイド溝が形成され、前記摩擦体の頭冠部の内面に、小径孔部と、該小径孔部の前方に連設され且つ該小径孔部より大きい内径を有する大径孔部とが形成され、前記小径孔部の内面に前記嵌合部と嵌合可能な被嵌合部が形成され、前記大径孔部の内面に前記ガイド溝が係合可能なガイド突起が形成され、前記ガイド溝と前記ガイド突起により前記ガイド部が構成される請求項４または５記載の多芯筆記具。
【発明の詳細な説明】
【技術分野】
【０００１】
本発明は、多芯筆記具に関する。
【背景技術】
【０００２】
従来、多芯筆記具において、例えば、特許文献１には、軸筒の後部に、頭冠を着脱自在に装着し、前記頭冠に、筆記体の筆跡を変色または消去するゴム状弾性を有する弾性部を、外部に露出して設けた多芯筆記具が開示されている。
【先行技術文献】
【特許文献】
【０００３】
【特許文献１】特開２０１３−４９１９２号
【発明の概要】
【発明が解決しようとする課題】
【０００４】
前記特許文献１の多芯筆記具は、摩擦部が１か所のみであるため、長期使用により摩擦部が磨耗し適正な形状を維持できないおそれがある。また、前記特許文献１の多芯筆記具は、摩擦部と紙面との異なる接触面積を得ることは困難であり、熱変色しようとする筆跡の面積に応じた摩擦部と紙面との適正な接触面積を容易に得ることができない。
【０００５】
本発明は前記従来の問題点を解決するものであって、長期使用でも摩擦部が磨耗することを回避でき、長期にわたり摩擦部の適正形状を維持でき、また、熱変色しようとする筆跡の面積に応じた摩擦部と紙面との適正な接触面積を容易に得ることができる多芯筆記具を提供しようとするものである。
尚、本発明の軸筒において、「前」とはペン先側を指し、「後」とはその反対側を指す。
【課題を解決するための手段】
【０００６】
本願の第１の発明は、軸筒２と、前記軸筒２内に前後方向に移動可能に収容され、内部に熱変色性インキが充填された複数の筆記体と、前記各々の筆記体の後端に接続され且つ軸筒２に側壁より径方向外方に突出され、前方にスライド操作することにより各々の筆記体のペン先を択一的に軸筒２の前端孔より突出させる操作部３と、前記軸筒２の後端部に着脱自在に設けられ、前記筆記体の筆跡を摩擦しその際に生じる摩擦熱により該筆跡を熱変色させる摩擦体４と、を備えた多芯筆記具であって、前記摩擦体４が、前記軸筒２の後端より外部に露出する頭冠部５と、該頭冠部５より前方に一体に連設され、前記軸筒２との間で被挟持物を挟持するクリップ部６と、を備え、前記頭冠部５の後端部に第１の摩擦部５１が設けられ、前記クリップ部６の前端部に第２の摩擦部６１が設けられることを要件とする。
【０００７】
前記第１の発明の多芯筆記具１は、前記摩擦体４が、前記軸筒２の後端より外部に露出する頭冠部５と、該頭冠部５より前方に一体に連設され、前記軸筒２との間で被挟持物を挟持するクリップ部６と、を備え、前記頭冠部５の後端部に第１の摩擦部５１が設けられ、前記クリップ部６の前端部に第２の摩擦部６１が設けられることにより、長期の使用でも摩擦部が磨耗することを回避でき、長期にわたり摩擦部の適正な形状を維持できる。
【０００８】
本願の第２の発明は、前記第１の発明の多芯筆記具において、前記第１の摩擦部５１の形状と前記第２の摩擦部６１の形状が互いに異なることを要件とする。
【０００９】
前記第２の発明の多芯筆記具１は、前記第１の摩擦部５１の形状と前記第２の摩擦部６１の形状が互いに異なることにより、熱変色しようとする筆跡の面積に応じた摩擦部と紙面との適正な接触面積を容易に得ることができる。具体的には、頭冠部５の後端部に形成された第１の摩擦部５１が、クリップ部６の前端部に設けられた第２の摩擦部６１より大きく形成され、第１の摩擦部５１により得られる接触面積が、第２の摩擦部６１より得られる接触面積より大きくなる。
【００１０】
本願の第３の発明は、前記第１または第２の発明の多芯筆記具において、前記頭冠部５の外面に前記第１の摩擦部５１を用いて摩擦操作する際に把持可能な第１の把持部５２が形成され、前記クリップ部６の外面に前記第２の摩擦部６１を用いて摩擦操作する際に把持可能な第２の把持部６２が形成されることを要件とする。
【００１１】
前記第３の発明の多芯筆記具１は、前記頭冠部５の外面に前記第１の摩擦部５１を用いて摩擦操作する際に把持可能な第１の把持部５２が形成され、前記クリップ部６の外面に前記第２の摩擦部６１を用いて摩擦操作する際に把持可能な第２の把持部６２が形成されることにより、第１の摩擦部５１、第２の摩擦部６１の何れを使用する際にも、安定した摩擦操作が可能となる。
【００１２】
尚、第１の摩擦部５１を使用する場合、摩擦体４が軸筒２に取り付けられた状態であってもよいし、摩擦体４が軸筒２から分離された状態であってもよく、何れの状態でも第１の把持部５２を把持して第１の摩擦部５１を使用できる。第２の摩擦部６１を使用する場合。摩擦体４が軸筒２から分離された状態で使用することが好ましく、その場合、第２の把持部６２を把持して第２の摩擦部６１を使用できる。また、前記第１の把持部５２及び前記第２の把持部６２は、具体的には、摩擦時に指との適正な接触面積が得られる形状（例えば、クリップ外面に径方向外方に突出する凸部、クリップの側面に形成される凹部または凸部等）が好ましい。また、前記第１の把持部５２及び前記第２の把持部６２は、摩擦時、指が滑らないよう、表面に滑り止め部（例えば、微細な凹凸や弾性層）を設けることもできる。
【００１３】
本願の第４の発明は、前記第１乃至第３の何れかの発明の多芯筆記具において、前記摩擦体４を前記軸筒２に取り付ける際に前記軸筒２と前記摩擦体４との間に周方向の位置合わせを行うガイド部が設けられることを要件とする。
【００１４】
前記第４の発明の多芯筆記具１は、前記摩擦体４を前記軸筒２に取り付ける際に前記軸筒２と前記摩擦体４との間に周方向（回転方向）の位置合わせを行うガイド部が設けられることにより、クリップ部６が各々の操作部の相互間に確実に位置され、クリップ部６が各々の操作部３の操作を阻害せず、各々の操作部３のスムーズな操作が可能となる。
【００１５】
前記第５の発明は、前記第４の発明の多芯筆記具において、前記ガイド部が複数箇所に設けられ、前記クリップ部６が複数の前記スライド孔２１の相互間の軸筒２側壁外面のうち任意の前記スライド孔２１の相互間の軸筒２側壁外面に配置可能であることを要件とする。
【００１６】
前記第５の発明の多芯筆記具は、前記ガイド部が複数箇所に設けられ、前記クリップ部６が複数の前記スライド孔２１の相互間の軸筒側壁外面のうち任意の前記スライド孔２１の相互間の軸筒２側壁外面に配置可能であることにより、ユーザーがクリップ部６の位置を任意に選択して配置することができる。
【００１７】
前記第６の発明は、前記第４または５の発明の多芯筆記具において、前記軸筒２後端部の外面に、小径部２２と、該小径部２２の前方に連設され且つ該小径部２２より大きい外径を有する大径部２３とが形成され、前記小径部２２の外面に嵌合部２２ａが形成され、前記大径部２３の外面にガイド溝２３ａが形成され、前記摩擦体４の頭冠部５の内面に、小径孔部５３と、該小径孔部５３の前方に連設され且つ該小径孔部５３より大きい内径を有する大径孔部５４とが形成され、前記小径孔部５３の内面に前記嵌合部２２ａと嵌合可能な被嵌合部５３ａが形成され、前記大径孔部５４の内面に前記ガイド溝２３ａが係合可能なガイド突起５４ａが形成され、前記ガイド溝２３ａと前記ガイド突起５４ａにより前記ガイド部が構成されることを要件とする。
【００１８】
前記第６の発明の多芯筆記具１は、前記構成により、クリップ部６の周転方向の確実な位置合わせと摩擦体４の確実な取り付けが可能となる。
【００１９】
・摩擦部の材料
本発明において、前記第１の摩擦部５１及び第２の摩擦部６１は、例えば、弾性を有する合成樹脂（ゴム、エラストマー）が挙げられ、例えば、シリコーン樹脂、ＳＢＳ樹脂（スチレン−ブタジエン−スチレン共重合体）、ＳＥＢＳ樹脂（スチレン−エチレン−ブタジエン−スチレン共重合体）、フッ素系樹脂、クロロプレン樹脂、ニトリル樹脂、ポリエステル系樹脂、オレフィン系樹脂、エチレンプロピレンジエンゴム（ＥＰＤＭ）等が挙げられ、特に、高摩耗性の弾性材料（例えば、消しゴム等）からなるものよりも、摩擦時に摩耗屑が生じない低摩耗性の弾性材料からなることが好ましい。前記第１の摩擦部５１及び第２の摩擦部６１は、前記第１の摩擦部５１及び第２の摩擦部６１と別の材料（例えば、前記弾性材料に比べて硬質な合成樹脂または金属）からなる摩擦体４の本体の外面に固着する構成、または、摩擦体４の全体を第１の摩擦部５１及び第２の摩擦部６１と同一の材料（例えば前記弾性を有する合成樹脂）から一体に形成する構成により得られる。
【００２０】
・熱変色性インキ
本発明における熱変色性インキは、熱変色性マイクロカプセル顔料を用いたものであり、（イ）電子供与性呈色性有機化合物、（ロ）電子受容性化合物、（ハ）前記両者の呈色反応の生起温度を決める反応媒体からなる可逆熱変色性組成物を内包させた可逆熱変色性マイクロカプセル顔料を含む水性インキ組成物が採用される。前記熱変色性インキは、加熱により消色するタイプ、または加熱により発色するタイプが挙げられる。
さらに、前記可逆熱変色性マイクロカプセル顔料中、或いは熱変色性インキ中には、非熱変色性の染料、顔料等の着色剤を配合して、有色（１）から有色（２）への互変的色変化を呈する構成とすることもできる。前記染料としては、酸性染料、塩基性染料、直接染料、蛍光染料が全て使用可能である。また、顔料としては、カーボンブラック、群青、二酸化チタン顔料等の無機顔料、アゾ系顔料、フタロシアニン系顔料、インジゴ顔料、チオインジゴ顔料、スレン顔料、キナクリドン系顔料、アントラキノン系顔料、スロン系顔料、ジケトピロロピロール系顔料、ジオキサジン系顔料、ペリレン系顔料、ペリノン系顔料、イソインドリノン系顔料等の有機顔料や蛍光顔料を例示できる。
【００２１】
・ペン先
本発明におけるペン先は、前端に回転可能にボールが抱持されたボールペンチップ、多孔質ペン体（例えば、繊維加工体、連続気泡発泡体）または軸方向のインキ誘導路を有する合成樹脂押出成形体よりなるペン体、または毛筆ペン先等が挙げられる。
【発明の効果】
【００２２】
本発明の多芯筆記具は、長期の使用でも摩擦部が磨耗することを回避し、長期にわたり摩擦部の適正な形状を維持できる。
【図面の簡単な説明】
【００２３】
【図１】本発明の実施の形態の正面図である。
【図２】図１の側面図である。
【図３】図１の摩擦体の縦断面図である。
【図４】図３のＡ−Ａ線断面図である。
【図５】図３のＢ−Ｂ線断面図である。
【図６】図１の軸筒の正面図である。
【図７】図１の摩擦体の取り付け状態を示す要部縦断面図である。
【図８】図７のＣ−Ｃ線断面図である。
【図９】図１の摩擦体の第１の摩擦部の使用状態を示す斜視図である。
【図１０】図１の摩擦体の第２の摩擦部の使用状態を示す斜視図である。
【発明を実施するための形態】
【００２４】
本発明の実施の形態を図１乃至図１０に示す。
本実施の形態の多芯筆記具１は、軸筒２と、前記軸筒２内に前後方向に移動可能に収容され、内部に熱変色性インキが充填された複数の筆記体と、前記各々の筆記体の後端に接続され且つ軸筒２に側壁のスライド孔２１より径方向外方に突出され、スライド孔２１に沿って前方にスライド操作することにより各々の筆記体のペン先を択一的に軸筒２の前端孔より突出させる操作部３と、前記軸筒２の後端部に着脱自在に設けられ、前記筆記体の熱変色性インキによる筆跡を摩擦しその際に生じる摩擦熱により該筆跡を熱変色させる摩擦体４、とを備える。ペン先から、筆記体内部の熱変色性インキが吐出可能である。熱変色性インキは、摩擦体４の第１の摩擦部５１及び第２の摩擦部６１による摩擦熱により有色から異なる有色（例えば黒色からピンク色）に変化するもの、または、有色（例えば黒色）から無色に変化するものが挙げられる。
【００２５】
・軸筒
軸筒２の後部側壁に軸方向に延びる複数（例えば３個）のスライド孔２１が形成される。
スライド孔２１相互間の軸筒２の側壁外面、またはスライド孔２１相互間の軸筒２の側壁外面より軸方向前方の軸筒２の側壁外面に、挟持突起２４が一体に形成される。挟持突起２４とクリップ部６の内面（第２の摩擦部６１）との間で被挟持物が挟持可能である。
挟持突起２４は、各々のスライド孔２１相互間の軸筒側壁外面、または各々のスライド孔２１相互間の軸筒２の側壁外面より軸方向前方の軸筒２の側壁外面に形成される。即ち、複数個（例えば３個）の挟持突起２４が、軸筒２の側壁外面に周方向に等間隔に設けられる。それにより、クリップ部６を何れのスライド孔２１の相互間に配置しても、挟持突起２４とクリップ部６との間で被挟持物が挟持可能である。
【００２６】
・摩擦体
摩擦体４が、軸筒２の後端部に着脱自在に取り付けられる。摩擦体４は、軸筒２の後端より外部に露出する頭冠部５と、該頭冠部５より前方に一体に連設され、軸筒２との間で被挟持物（例えば衣服のポケット等）が挟持可能なクリップ部６と、を備える。頭冠部５の後端部に第１の摩擦部５１が設けられ、クリップ部６の前端部に第２の摩擦部６１が設けられる。
【００２７】
・第１の摩擦部、第２の摩擦部
摩擦体４全体が弾性材料により形成され、第１の摩擦部５１及び第２の摩擦部６１は摩擦体４に一体に形成される。摩擦体４（第１の摩擦部５１及び第２の摩擦部６１）の材料は、例えば、シリコーン樹脂、ＳＢＳ樹脂（スチレン−ブタジエン−スチレン共重合体）、ＳＥＢＳ樹脂（スチレン−エチレン−ブタジエン−スチレン共重合体）が採用される。第１の摩擦部５１及び第２の摩擦部６１により、ペン先による紙面上に形成された熱変色性インキの筆跡を摩擦してその際の発生する摩擦熱で前記熱変色性インキの筆跡を熱変色させることができる。なお、これ以外にも、第１の摩擦部５１及び第２の摩擦部６１は、別材料からなる摩擦体４の本体に圧入嵌合または２色成形により固定される構成でもよい。
【００２８】
第１の摩擦部５１の形状と第２の摩擦部６１の形状が互いに異なる。第１の摩擦部５１は、頭冠部５の後端に設けられ、比較的大きな面積を有する平面または比較的大きな曲率半径を有する凸曲面により形成される。第２の摩擦部６１は、クリップ部６の前端に設けられ、比較的小さな面積を有する平面または比較的小さな曲率半径を有する凸曲面により形成される。第１の摩擦部５１により得られる紙面との接触面積が、第２の摩擦部６１より得られる紙面との接触面積より大きくなる。
【００２９】
・第１の把持部
頭冠部５の外面またはクリップ部６の基部外面に、第１の摩擦部５１を用いて摩擦操作する際に把持可能な第１の把持部５２が形成される。第１の把持部５２は、クリップ部６の長手方向の中心線上に形成される突条と、該突条に対して対向して形成され、径方向内方に向かうに従い互いの距離が大きくなる２つの傾斜面とからなる。
【００３０】
・第２の把持部
クリップ部６の前部外面に、第２の摩擦部６１を用いて摩擦操作する際に把持可能な第２の把持部６２が形成される。第２の把持部６２は、クリップ部６の長手方向の中心線上に形成される突条と、該突条に対して対向して形成され、径方向内方に向かうに従い互いの距離が大きくなる２つの傾斜面とからなる。
【００３１】
・ガイド部
軸筒２後端部の外面に、小径部２２と、該小径部２２の前方に連設され且つ該小径部２２より大きい外径を有する大径部２３とが形成される。小径部２２の外面に嵌合部２２ａ（例えば環状突起）が形成され、大径部２３の外面にガイド溝２３ａが形成される。ガイド溝２３ａは、溝幅が一定の前部と、前部より後方に向かうに従い次第に溝幅が広くなる後部とからなる。ガイド溝２３ａは、各々のスライド孔２１相互間の軸筒２の側壁外面より軸方向後方の大径部２３の側壁外面に周方向に等間隔に形成される。即ち、ガイド溝２３ａは、大径部２３の側壁外面に複数個（３個）が周方向に等間隔に形成される。
【００３２】
摩擦体４の頭冠部５の内面に、小径孔部５３と、該小径孔部５３の前方に連設され且つ該小径孔部５３より大きい内径を有する大径孔部５４とが形成される。小径孔部５３の内面に嵌合部２２ａと嵌合可能な被嵌合部５３ａ（例えば、周状に等間隔に分散配置される複数の突起）が形成される。大径孔部５４の外面にガイド溝２３ａが係合可能なガイド突起５４ａが形成される。ガイド溝２３ａとガイド突起５４ａによりガイド部が構成される。
【００３３】
ガイド部により、摩擦体４を軸筒２の後端部に取り付ける際、軸筒２と前記摩擦体４との間に回転方向の位置合わせがなされ、摩擦体４が軸筒２に取り付けられた状態においてクリップ部６が各々の操作部３の相互間に位置される。また、嵌合部２２ａと被嵌合部５３ａとの嵌合により、摩擦体４と軸筒２とが容易な着脱が可能となる。
【００３４】
本実施の形態の多芯筆記具１は、前記摩擦体４が、軸筒２の後端部に着脱自在に取り付けられ、軸筒２の後端より外部に露出する頭冠部５と、該頭冠部５より前方に一体に連設され、軸筒２との間で被挟持物を挟持するクリップ部６と、を備え、前記頭冠部５の後端部に第１の摩擦部５１が設けられ、前記クリップ部６の前端部に第２の摩擦部６１が設けられることにより、長期の使用でも摩擦部が磨耗することを回避し、長期にわたり摩擦部の適正な形状を維持できる。
【００３５】
本実施の形態の多芯筆記具１は、前記第１の摩擦部５１の形状と前記第２の摩擦部６１の形状が互いに異なることにより、熱変色しようとする筆跡の面積に応じた適正な接触面積を容易に得ることができる。
【００３６】
本実施の形態の多芯筆記具１は、前記頭冠部５の外面に前記第１の摩擦部５１を用いて摩擦操作する際に把持可能な第１の把持部５２が形成され、前記クリップ部６の外面に前記第２の摩擦部６１を用いて摩擦操作する際に把持可能な第２の把持部６２が形成されることにより、第１の摩擦部５１、第２の摩擦部６１の何れを使用する際にも、安定した摩擦操作が可能となる。
【００３７】
本実施の形態の多芯筆記具１は、前記摩擦体４を前記軸筒２に取り付ける際に前記軸筒２と前記摩擦体４との間に周方向の位置合わせを行うガイド部が設けられることにより、クリップ部６が各々の操作部３の相互間に確実に位置され、クリップ部６が各々の操作部３の操作を阻害せず、各々の操作部３のスムーズな操作が可能となる。
【００３８】
本実施の形態の多芯筆記具１は、前記ガイド部が複数箇所に設けられ、前記クリップ部６が複数の前記スライド孔２１の相互間の軸筒側壁外面のうち任意の前記スライド孔２１の相互間の軸筒２側壁外面に配置可能であることにより、ユーザーがクリップ部６の位置を任意に選択して配置することができる。
【００３９】
本実施の形態の多芯筆記具１は、前記軸筒２後端部の外面に、小径部２２と、該小径部２２の前方に連設され且つ該小径部２２より大きい外径を有する大径部２３とが形成され、前記小径部２２の外面に嵌合部２２ａが形成され、前記大径部２３の外面にガイド溝２３ａが形成され、前記摩擦体４の頭冠部５の内面に、小径孔部５３と、該小径孔部５３の前方に連設され且つ該小径孔部５３より大きい内径を有する大径孔部５４とが形成され、前記小径孔部５３の内面に前記嵌合部２２ａと嵌合可能な被嵌合部５３ａが形成され、前記大径孔部５４の内面に前記ガイド溝２３ａが係合可能なガイド突起５４ａが形成され、前記ガイド溝２３ａと前記ガイド突起５４ａにより前記ガイド部が構成される。それにより、クリップ部６の回転方向の確実な位置合わせと摩擦体４の確実な取り付けが可能となる。
【符号の説明】
【００４０】
１  多芯筆記具
２  軸筒
２１  スライド孔
２２  小径部
２２ａ  嵌合部
２３  大径部
２３ａ  ガイド溝
２４  挟持突起
３  操作部
４  摩擦体
５  頭冠部
５１  第１の摩擦部
５２  第１の把持部
５３  小径孔部
５３ａ  被嵌合部
５４  大径孔部
５４ａ  ガイド突起
６  クリップ部
６１  第２の摩擦部
６２  第２の把持部
【図１】
2020097209.tif 000003
【図２】
2020097209.tif 000004
【図３】
2020097209.tif 000005
【図４】
2020097209.tif 000006
【図５】
2020097209.tif 000007
【図６】
2020097209.tif 000008
【図７】
2020097209.tif 000009
【図８】
2020097209.tif 000010
【図９】
2020097209.tif 000011
【図１０】
2020097209.tif 000012